(57)【特許請求の範囲】
【請求項１】
電子機器の底面を載せる、前方を後方に対して下方に傾斜させた載置面と、
前記電子機器の底面に設けられる拡張コネクタが接続される、前記載置面に設けられたドッキングコネクタと、
前記載置面から下方に窪んだ形状を有し、前記ドッキングコネクタより後方の位置に形成された溝部と、
前記溝部の形状に対応した形状を有し、前記溝部の内部に収納されると上面が前記載置面とほぼ同一に平面となるように取り付けられる付勢部材と、
前記付勢部材の内部に設けられたばねにより上面から上方に突出するように設けられ、前記電子機器の底面が載置されると、その反発力により前記電子機器の本体を前側が下がる方向に付勢する少なくとも２つの押圧部材と、を備えたドッキング装置。
【請求項２】
前記付勢部材の上面には、前記２つの押圧部材に対応した取付孔が設けられ、
前記ばねは、前記取付孔に位置する前記付勢部材の底面と前記押圧部材との間に設けられ、
前記押圧部材は、有蓋円筒形状を有し、前記付勢部材の上板を出退自在に貫通して設けられている請求項１に記載のドッキング装置。
【請求項３】
前記押圧部材は、前記載置面に載せられた前記電子機器の底面に接触し、前記ばねの反発力で前記電子機器を前記ドッキングコネクタを支点にして、前記電子機器の前方を下げる方向に傾動させる請求項１に記載のドッキング装置。
【請求項４】
前記取付孔は、前記付勢部材の上板の長手方向の中心に対して非対称の位置に設けられる請求項２に記載のドッキング装置。
【請求項５】
電子機器の底面を載せる、前方を後方に対して下方に傾斜させた載置面と、
前記電子機器の底面に設けられる拡張コネクタが接続される、前記載置面に設けられたドッキングコネクタと、
前記ドッキングコネクタに取り付け保持され、前記ドッキングコネクタとその周辺部材とを通すことが可能な取付孔と、弾性力を有する湾曲部とを備える付勢部材と、を備え、
前記付勢部材に前記電子機器の底面が載置されると、前記湾曲部の弾性力により前記電子機器の本体を前側が下がる方向に傾動させるドッキング装置。
【発明の詳細な説明】
【技術分野】
【０００１】
本発明の実施形態は、電子機器を組み付けるドッキング装置に関する。
【背景技術】
【０００２】
ドッキング装置は、パーソナルコンピュータ等の電子機器をドッキングさせ、電子機器が有する機能を拡張させる装置である。
【先行技術文献】
【特許文献】
【０００３】
【特許文献１】特開２０１０−２５０６９９号公報
【特許文献２】特開２０１４−２２８９２８号公報
【特許文献３】特開２０００−０８９８５０号公報
【発明の概要】
【発明が解決しようとする課題】
【０００４】
コンピューター本体の背面側に画像表示ユニットを組み合せたパーソナルコンピュータでは、例えば画像表示ユニットとコンピュータ本体との重量バランスにより、パーソナルコンピュータをドッキング装置にドッキングさせた際、コンピュータ本体の手前側が机上から浮き上がってしまうことがある。
【課題を解決するための手段】
【０００５】
第１実施形態に係るドッキング装置は、電子機器の底面を載せる、前方を後方に対して下方に傾斜させた載置面と、前記電子機器の底面に設けられる拡張コネクタが接続される、前記載置面に設けられたドッキングコネクタと、前記載置面から下方に窪んだ形状を有し、前記ドッキングコネクタより後方の位置に形成された溝部と、を備えている。更に、ドッキング装置は、前記溝部の形状に対応した形状を有し、前記溝部の内部に収納されると上面が前記載置面とほぼ同一に平面となるように取り付けられる付勢部材と、前記付勢部材の内部に設けられたばねにより上面から上方に突出するように設けられ、前記電子機器の底面が載置されると、その反発力により前記電子機器の本体を前側が下がる方向に付勢する少なくとも２つの押圧部材と、を備えている。
【図面の簡単な説明】
【０００６】
【図１】第１実施形態のドッキング装置にパーソナルコンピュータを組み付けた状態を示す斜視図。
【図２】同ドッキング装置とパーソナルコンピュータとを分解して示す分解側面図。
【図３】同ドッキング装置を示す斜視図。
【図４】同ドッキング装置にパーソナルコンピュータを組み付けた状態を示す側面図。
【図５】同ドッキング装置を分解して示す分解斜視図。
【図６】同ドッキング装置を背面側から示す斜視図。
【図７】付勢部材を示す斜視図。
【図８】同付勢部材を、図２のＦ８−Ｆ８線を含む平面で破断して示す断面図。
【図９】第２実施形態のドッキング装置を示す斜視図。
【図１０】同ドッキング装置にパーソナルコンピュータを組み付けた状態を示す側面図。
【図１１】比較例を示す側面図。
【発明を実施するための形態】
【０００７】
第１実施形態のドッキング装置について、図面を参照して説明する。図１は、ドッキング装置１０に電子機器としてのパーソナルコンピュータ１２を組み付けた状態を示す斜視図である。図２は、ドッキング装置１０とパーソナルコンピュータ１２を離して示す側面図である。図３は、ドッキング装置１０を示す斜視図である。
【０００８】
以下、ドッキング装置１０及びパーソナルコンピュータ１２について、パーソナルコンピュータ１２が使用者に使用される状態(図１参照)において、使用者側をドッキング装置１０やパーソナルコンピュータ１２の手前側とし、その逆方向を奥、あるいは後方とし、又、重力の方向を下方とし、その逆方向を上方として説明する。
【０００９】
パーソナルコンピュータ１２について説明する。パーソナルコンピュータ１２は、コンピュータ本体２０と表示ユニット２２とを備えている。コンピュータ本体２０は、筐体２４と、筐体２４の内部に設けられた回路基板等と、入力装置２６と、拡張コネクタ２８(図２参照)とを備えている。
【００１０】
筐体２４は、偏平のほぼ矩形形状に形成されている。入力装置２６は、キーボート３０やタッチパネル３２等を含み、筐体２４の上面に設けられている。キーボート３０やタッチパネル３２等は、筐体２４の内部の回路基板等に電気的に接続されている。
【００１１】
拡張コネクタ２８は、図２に示すように筐体２４の底面に設けられている。拡張コネクタ２８は、コンピュータ本体２０の底面から下方に接続口が開口している。拡張コネクタ２８には、開閉蓋が設けられていてもよい。拡張コネクタ２８は回路基板等に電気的に接続されている。
【００１２】
表示ユニット２２は、筐体４０と表示パネル４２とを備えている。表示パネル４２は、例えば液晶表示パネルであり、筐体４０の内部に画像表示面を前方に向けて設けられている。表示ユニット２２は、表示ユニット２２の筐体４０の一端とコンピュータ本体２０の筐体２４の後方端とを連結するヒンジ２５によりコンピュータ本体２０に回動自在に取り付けられている。
【００１３】
ドッキング装置１０について説明する。ドッキング装置１０は、図３に示すように筐体４６と、筐体４６の内部に設けられた回路基板と、ドッキングコネクタ５０と、各種接続端子類５２(図６参照)とを備えている。
【００１４】
筐体４６は、上板５４と、底板５６と、前板５８と、後板６０と、左右の側板６２、６４とを備え、それらに囲まれた内部に空間を有している。筐体４６の内部には、処理回路を有する回路基板と、取外機構が設けられている。
【００１５】
上板５４は、特許請求の範囲における載置面を形成し、図４に示すように机９９の上における使用状態において筐体４６の手前側が下がるように傾斜している。これにより、ドッキング装置１０の全体は、上面が傾斜した台形形状に形成されている。上板５４の傾斜は、パーソナルコンピュータ１２をドッキング装置１０にドッキングさせたとき、入力装置２６の角度が入力装置２６への入力操作に好ましい角度となるように設定されている。
【００１６】
上板５４には、ドッキングコネクタ５０と、係止部材７０と、押上ピン７２と、溝部７４が設けられている。ドッキングコネクタ５０は、上板５４から上方に開口している。ドッキングコネクタ５０は、パーソナルコンピュータ１２の拡張コネクタ２８に対応している。ドッキングコネクタ５０は、ドッキング装置１０の回路基板に電気的に接続されている。
【００１７】
係止部材７０は、先端(上端)がＬ字状に屈曲し、屈曲した方向に沿って傾動自在に設けられている。係止部材７０は、先端部分がパーソナルコンピュータ１２の係合部に係合される。係止部材７０は、ドッキング装置１０の内部に設けられた取外機構に連結されている。
【００１８】
押上ピン７２は、上板５４から上方に突出後退自在に設けられている。押上ピン７２は、通常上板５４の上面から押上ピン７２の上面が突出しない状態に保持されている。押上ピン７２は、取外機構に連結されている。
【００１９】
溝部７４は、ドッキング装置１０を使用する状態において、ドッキングコネクタ５０の後方に設けられている。溝部７４は、ドッキング装置１０にパーソナルコンピュータ１２をドッキングさせたとき、パーソナルコンピュータ１２に取り
付けられた大容量の電池パックを収納する形状に形成されている。尚、溝部７４は、大容量バッテリを収容する以外の目的で形成されていてもよい。
【００２０】
筐体４６の左側板６４(向かって右側)には、解除レバー８０が設けられている。解除レバー８０は、筐体４６に回動自在に設けられている。解除レバー８０は、ドッキング装置１０の内部に設けられた取外機構に連結している。取外機構は、係止部材７０と押上ピン７２に連結され、解除レバー８０を回動させると、係止部材７０を係止方向から後退させ、又、押上ピン７２を上板５４の上面から突出させる。
【００２１】
筐体４６の後面には、図６に示すように、接続端子類５２が設けられている。接続端子類５２としては、例えば電源コネクタ８６、各種入出力端子８８、ＵＳＢコネクタ９０等である。筐体４６の底面には、据付脚としての突部９２(図２等参照)が設けられている。
【００２２】
拡張コネクタ２８とドッキングコネクタ５０が接続されると、パーソナルコンピュータ１２の回路基板と、ドッキング装置１０の回路基板が接続され、パーソナルコンピュータ１２の機能がドッキング装置１０により拡張される。
【００２３】
次に、溝部７４に収納される付勢部材１４について説明する。付勢部材１４は、図５、図７、図８に示すように筐体１６と、押圧部材１８と、ばね３６とを備えている。筐体１６は、上板１００と、底板１０２と、前板１０４と、後板１０６と、左右の側板１０８、１１０とを備え、内部に空間が形成された、ほぼ直方体形状を有している。
【００２４】
筐体１６は、溝部７４の形状に対応した外形形状を有している。溝部７４に付勢部材１４を収納すると、付勢部材１４は、溝部７４に、ほぼがたつきがなく、かつ付勢部材１４の上板１００が、ドッキング装置１０の上板５４とほぼ同一の平面に配置される。
【００２５】
筐体１６の上板１００には、押圧部材１８に対応した円形の取付孔１１２が設けられている。取付孔１１２は、上板１００に、上板１００の長手方向の中心に対して非対称の位置に設けられている。
【００２６】
押圧部材１８は、有蓋の円筒形状を有し、下端に周囲に広がる縁部１１４を備えている。押圧部材１８の円筒部分は、上板１００に設けられた取付孔１１２を通過する直径を有している。押圧部材１８の縁部１１４は、取付孔１１２の縁に掛かり取付孔１１２を通過しない大きさを有している。
【００２７】
ばね３６は、押圧部材１８の内部に設けられている。ばね３６は、筐体１６の底板１０２と押圧部材１８との間に設けられ、押圧部材１８を、上板１００から上方に突出する方向に付勢している。ばね３６は、ドッキング装置１０にパーソナルコンピュータ１２をドッキングさせると、押圧部材１８がパーソナルコンピュータ１２の底面に接触してパーソナルコンピュータ１２を上方に押し上げ、ドッキングコネクタ５０を支点にしてパーソナルコンピュータ１２を前下がり方向に傾動させるに十分なばね力を有している。
【００２８】
次に、ドッキング装置１０の作用効果について説明する。パーソナルコンピュータ１２をドッキング装置１０にドッキングさせる。パーソナルコンピュータ１２のドッキングは、パーソナルコンピュータ１２の拡張コネクタ２８をドッキング装置１０のドッキングコネクタ５０に合せて、パーソナルコンピュータ１２を上から押し込む。
【００２９】
すると、例えば拡張コネクタ２８を覆っているカバーが開き、拡張コネクタ２８が露出してドッキングコネクタ５０と接続される。又、係止部材７０のＬ字状の先端がパーソナルコンピュータ１２の係合部に係合される。これにより、パーソナルコンピュータ１２とドッキング装置１０とが、拡張コネクタ２８とドッキングコネクタ５０を介して電気的に接続されるとともに、ドッキング装置１０とパーソナルコンピュータ１２とが機械的に結合される。
【００３０】
パーソナルコンピュータ１２のコンピュータ本体２０と表示ユニット２２とのドッキングコネクタ５０を支点した重量バランスで、例えばコンピュータ本体２０側が重いとする。その場合、パーソナルコンピュータ１２は、ドッキング装置１０にドッキングした状態においてコンピュータ本体２０の前側(手前部分)が下がり、パーソナルコンピュータ１２を置いた机９９の上にコンピュータ本体２０の前側が接触する。すると、使用者は、パーソナルコンピュータ１２をドッキング装置１０に連結させた状態で、安定して入力装置２６に操作ができる。
【００３１】
一方、パーソナルコンピュータ１２のコンピュータ本体２０と表示ユニット２２とのドッキングコネクタ５０を支点した重量バランスにおいて、表示ユニット２２側が重いとする。
【００３２】
その場合、パーソナルコンピュータ１２は、図１１に示すように表示ユニット２２側にパーソナルコンピュータ１２が傾倒し、ドッキング装置１０にドッキングした状態においてコンピュータ本体２０の前側が机９９の上から浮き上がる。コンピュータ本体２０が机９９の上から浮き上がった状態では、使用者は、入力装置２６に安定して操作することが困難となる。
【００３３】
このような場合、パーソナルコンピュータ１２をドッキング装置１０にドッキングさせる以前に、ドッキング装置１０の溝部７４内に付勢部材１４を組み付ける。付勢部材１４は、押圧部材１８を上方にして溝部７４に収納される。付勢部材１４は、付勢部材１４の筐体１６が溝部７４の形状にほぼ一致しているので、がたつきなく溝部７４内に収納される。
【００３４】
又、付勢部材１４は、付勢部材１４の上板１００とドッキング装置１０の上板５４とが略一致した高さに配置される。すると、ドッキング装置１０の上板５４と同じ高さから押圧部材１８が上方に突出する。
【００３５】
そしてパーソナルコンピュータ１２をドッキング装置１０に上述したようにドッキングさせる。パーソナルコンピュータ１２は、拡張コネクタ２８とドッキングコネクタ５０とが接続された状態でドッキング装置１０の上に取り付けられる。パーソナルコンピュータ１２をドッキング装置１０に取り付けると、パーソナルコンピュータ１２は、押圧部材１８をばね３６のばね力に抗して上から押し下げる。
【００３６】
これにより、パーソナルコンピュータ１２は、押圧部材１８からばね３６による反発力を受ける。押圧部材１８からの反発力は、パーソナルコンピュータ１２が後方に傾倒する力より十分に強く設定されているので、パーソナルコンピュータ１２は、机９９の上でドッキングコネクタ５０を支点として、コンピュータ本体２０の前側が下がる方向に付勢される。
【００３７】
これによりパーソナルコンピュータ１２は、図４に示すように机９９の上でコンピュータ本体２０の前側が机９９の上に接触した状態となり、コンピュータ本体２０が机９９とドッキング装置１０の上面とにより支持される。したがって、使用者は、パーソナルコンピュータ１２がドッキング装置１０に連結された状態で安定して入力装置２６に操作ができる。
【００３８】
次に、第２実施形態について説明する。第２実施形態のドッキング装置１１を、図９、図１０に示す。ドッキング装置１１は、ドッキング装置１０と比較して溝部を備えていない。それ以外の構成は、ドッキング装置１０の構成と同じである。ドッキング装置１０と同一の部材についてはドッキング装置１０と同一の符号を付し、ドッキング装置１１の説明は省略する。
【００３９】
ドッキング装置１１のドッキングコネクタ５０に、付勢部材１５が取り付けられている。付勢部材１５は、所定の弾性を有する弾性材から形成されている。付勢部材１５は、薄板状で、ドッキングコネクタ５０に通す取付孔５１と湾曲部５３を備えている。
【００４０】
取付孔５１は、ドッキングコネクタ５０とその周辺に設けられている係止部材７０等を含めて通すことが可能な大きさを有してる。又、取付孔５１は、ドッキングコネクタ５０に取付孔５１を通すと、付勢部材１５がドッキング装置１１から脱落しないようドッキングコネクタ５０に保持されるように形成されている。
【００４１】
湾曲部５３は、付勢部材１５をドッキング装置１１の上に載せると、湾曲部５３の後方端との間で、上板５４からほぼ円弧状に上方に湾曲するように形成されている。更に、湾曲部５３は、ドッキングコネクタ５０を支点としてパーソナルコンピュータ１２を傾動させるに十分な弾性力を備えている。
【００４２】
ドッキング装置１１にパーソナルコンピュータ１２をドッキングさせて、パーソナルコンピュータ１２が後方に傾倒して、パーソナルコンピュータ１２の前側が浮き上がるときは、付勢部材１５を用いる。
【００４３】
付勢部材１５は、取付孔５１をドッキングコネクタ５０に通して、付勢部材１５をドッキング装置１１に組み付ける。付勢部材１５をドッキング装置１１に組み付けたら、パーソナルコンピュータ１２をドッキング装置１１の上にドッキングさせる。
【００４４】
すると、図１０に示すように付勢部材１５の湾曲部５３がパーソナルコンピュータ１２の底面を上方に付勢して、パーソナルコンピュータ１２の前側が下がるようにパーソナルコンピュータ１２を傾動させる。これにより、パーソナルコンピュータ１２の前側が机９９の上に接触し、パーソナルコンピュータ１２は安定する。
【００４５】
尚、本発明は、前記実施形態に限定されるものではない。実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１０…ドッキング装置、１２…パーソナルコンピュータ、１４…付勢部材、１６、２４…筐体、１８…押圧部材、２０…コンピュータ本体、２２…表示ユニット、２６…入力装置、２８…拡張コネクタ、３６…ばね、５０…ドッキングコネクタ、５２…接続端子類、７０…係止部材、７２…押上ピン、７４…溝部、８０…解除レバー、９９…机。
【図１】
0006502777.tif 000002
【図２】
0006502777.tif 000003
【図３】
0006502777.tif 000004
【図４】
0006502777.tif 000005
【図５】
0006502777.tif 000006
【図６】
0006502777.tif 000007
【図７】
0006502777.tif 000008
【図８】
0006502777.tif 000009
【図９】
0006502777.tif 000010
【図１０】
0006502777.tif 000011
【図１１】
0006502777.tif 000012